【手続補正書】
【提出日】平成22年3月3日(2010.3.3)
【手続補正１】
【補正対象書類名】特許請求の範囲
【補正対象項目名】全文
【補正方法】変更
【補正の内容】
【特許請求の範囲】
【請求項１】
無線通信システムにおいて第１通信装置から第２通信装置へ送信される信号の送信電力レベルを制御する方法であって、該信号は、第１のスクランブリングコードと第２のスクランブリングコードとのうちの１つを使用して送信される信号であり、
●  インナーループ型の送信電力制御は、
○  前記第２通信装置において受信した信号についての品質測定値（５１）を繰り返し推定するステップと、
○  前記品質測定値（５１）と品質測定の基準値（５６）とに応じて、送信電力制御コマンドを生成するステップと、
○  前記送信電力制御コマンドを前記第１通信装置に送信するステップと、
○  前記第１通信装置において、前記送信電力制御コマンドに応じて前記送信電力レベルを調整するステップと
を含み、
●  アウターループ型の送信電力制御は、
○  時間区間にわたり前記第２通信装置において受信した信号について性能レベル（５２）を算出するステップと、
○  前記性能レベル（５２）に応じて前記品質測定の基準値（５６）を調整するステップと
を含み、
前記方法は、さらに、
●  前記アウターループ型の送信電力制御において、第１の品質測定の基準値と、第２の品質測定の基準値とを選択的に調整するステップであって、前記第１の品質測定の基準値（５４）を、すべて信号が前記第１のスクランブリングコードを使用して送信される時間区間について算出された性能レベルに基づいて調整し、前記第２の品質測定の基準値（５５）は、少なくともいくつか信号が前記第２のスクランブリングコードを使用して送信される時間区間について算出された性能レベルに基づいて調整するステップと、
●  前記送信電力制御コマンドを生成するステップにおける前記品質測定の基準値（５６）として、すべて信号が前記第１のスクランブリングコードを使用して送信される時間区間においては前記第１の品質測定の基準値（５４）を使用し、少なくともいくつか信号が前記第２のスクランブリングコードを使用して送信される時間区間については前記第２の品質測定の基準値（５５）を使用するステップと
を含むことを特徴とする方法。
【請求項２】
無線通信システムにおいて少なくとも第１のスクランブリングコードと第２のスクランブリングコードとのうちの１つを使用し、遠隔の通信装置から送信された信号を受信する通信装置において、送信電力制御コマンドを生成する方法であって、
●  前記通信装置において受信した信号についての品質測定値（５１）を繰り返し推定するステップと、
●  前記品質測定値（５１）と品質測定の基準値（５６）とに応じて、送信電力制御コマンドを生成するステップと、
●  前記送信電力制御コマンドを前記遠隔の通信装置に送信するステップと、
●  時間区間にわたり前記通信装置において受信した信号について性能レベル（５２）を算出するステップと、
●  前記性能レベル（５２）に応じて前記品質測定の基準値（５６）を調整するステップと
を含み、
前記方法は、さらに、
●  第１の品質測定の基準値と、第２の品質測定の基準値とを選択的に調整するステップであって、前記第１の品質測定の基準値（５４）を、すべて信号が前記第１のスクランブリングコードを使用して送信される時間区間について算出された性能レベル（５２）に基づいて調整し、前記第２の品質測定の基準値（５５）は、少なくともいくつか信号が前記第２のスクランブリングコードを使用して送信される時間区間について算出された性能レベル（５２）に基づいて調整するステップと、
●  前記送信電力制御コマンドを生成するステップにおける前記品質測定の基準値（５６）として、すべて信号が前記第１のスクランブリングコードを使用して送信される時間区間においては前記第１の品質測定の基準値（５４）を使用し、少なくともいくつか信号が前記第２のスクランブリングコードを使用して送信される時間区間については前記第２の品質測定の基準値（５５）を使用するステップと
を含むことを特徴とする方法。
【請求項３】
前記信号は、広帯域符号分割多元接続方式を使用して送信された信号である
ことを特徴とする請求項１または２に記載の方法。
【請求項４】
前記品質測定値は、信号対干渉比として推定された値である
ことを特徴とする請求項３に記載の方法。
【請求項５】
前記性能レベルはブロックエラーレートとして算出された値である
ことを特徴とする請求項３または４に記載の方法。
【請求項６】
前記第１のスクランブリングコードは、プライマリスクランブリングコードであり、
前記第２のスクランブリングコードは、セカンダリスクランブリングコードである
ことを特徴とする請求項３ないし５のいずれか１項に記載の方法。
【請求項７】
前記第１のスクランブリングコードは、プライマリスクランブリングコード及びセカンダリスクランブリングコードのいずれかであり、
前記第２のスクランブリングコードは、代替スクランブリングコードである
ことを特徴とする請求項３ないし５のいずれか１項に記載の方法。
【請求項８】
前記時間区間は、複数のフレームを含む送信時間間隔（ＴＴＩ）であり、
前記送信時間間隔（ＴＴＩ）のそれぞれは、少なくともいくつかの信号が前記第２のスクランブリングコードを使用して送信される時間区間であり、前記代替スクランブリングコードを使用して圧縮モードによって前記信号が送信される少なくとも１つのフレームを含む
ことを特徴とする請求項７に記載の方法。
【請求項９】
いくつかの信号が前記第２のスクランブリングコードを使用して送信される送信時間間隔（ＴＴＩ）に含まれるすべてのフレームにおける品質測定基準値として、前記第２の品質測定の基準値（５５）が使用される
ことを特徴とする請求項８に記載の方法。
【請求項１０】
いくつかの信号が前記第２のスクランブリングコードを使用して送信される送信時間間隔（ＴＴＩ）に含まれる、圧縮モードが適用されたフレームにおける品質測定基準値として、前記第２の品質測定の基準値（５５）が使用され、
前記第１の品質測定の基準値（５４）は、該送信時間間隔（ＴＴＩ）に含まれる他のフレームの品質測定基準値として使用される
ことを特徴とする請求項８に記載の方法。
【請求項１１】
●  前記第２の品質測定の基準値に加えて、前記第２のスクランブリングコードを使用して少なくともいくつかの信号が送信される時間区間について算出された性能レベル（５２）に応じた少なくとも１つの他の品質測定の基準値を調整するステップであって、前記第２のスクランブリングコードを使用して送信された信号の量に応じて該第２の品質測定の基準値と該少なくとも１つの他の品質測定の基準値とのうちの少なくとも１つを調整するステップと、
●  前記送信電力制御コマンドを送信するステップにおいて前記品質測定の基準値として、前記第２のスクランブリングコードを使用して少なくともいくつかの信号が送信される時間区間の少なくとも一部において、前記第２のスクランブリングコードを使用して送信された信号の量に応じた前記第２の品質測定の基準値と前記少なくとも１つの他の品質測定の基準値とのうちの１つを使用するステップと
を含むことを特徴とする請求項１ないし１０のいずれか１項に記載の方法。
【請求項１２】
無線通信システムにおいて少なくとも第１のスクランブリングコードと第２のスクランブリングコードとのうちの１つを使用し、遠隔の通信装置から送信された信号を受信する通信装置であって、
送信電力制御コマンドを生成する制御装置（４０）を備え、
前記制御装置は、
●  前記通信装置において受信した信号についての品質測定値（５１）を繰り返し推定する推定手段（２３）と、
●  前記品質測定値（５１）と品質測定の基準値（５６）とに応じて、送信電力制御コマンドを生成する生成手段（２４）と、
●  前記送信電力制御コマンドを前記遠隔の通信装置に送信する送信手段（１６）と、
●  時間区間にわたり前記通信装置において受信した信号について性能レベル（５２）を算出する算出手段（２５）と、
●  前記性能レベル（５２）に応じて前記品質測定の基準値（５６）を調整する調整手段（４６）と
を含み、
●  前記調整手段（４６）は、第１の品質測定の基準値と、第２の品質測定の基準値とを選択的に調整する手段であって、前記第１の品質測定の基準値（５４）を、すべて信号が前記第１のスクランブリングコードを使用して送信される時間区間について算出された性能レベル（５２）に基づいて調整し、前記第２の品質測定の基準値（５５）は、少なくともいくつか信号が前記第２のスクランブリングコードを使用して送信される時間区間について算出された性能レベル（５２）に基づいて調整する手段であり、
●  前記生成手段（２４）は、前記品質測定の基準値（５６）として、すべて信号が前記第１のスクランブリングコードを使用して送信される時間区間においては前記第１の品質測定の基準値（５４）を使用し、少なくともいくつか信号が前記第２のスクランブリングコードを使用して送信される時間区間については前記第２の品質測定の基準値（５５）を使用する手段である
ことを特徴とする通信装置。
【請求項１３】
前記通信装置は、
広帯域符号分割多元接続方式を使用して送信された信号を受信するように構成されている
ことを特徴とする請求項１２に記載の通信装置。
【請求項１４】
前記推定手段（２３）は、
信号対干渉比として前記品質測定値を推定するように構成されている
ことを特徴とする請求項１３に記載の通信装置。
【請求項１５】
前記算出手段（２５）は、
前記性能レベルを、ブロックエラーレートとして算出するように構成されている
ことを特徴とする請求項１３または１４に記載の通信装置。
【請求項１６】
前記第１のスクランブリングコードは、プライマリスクランブリングコードであり、
前記第２のスクランブリングコードは、セカンダリスクランブリングコードである
ことを特徴とする請求項１３ないし１５のいずれか１項に記載の通信装置。
【請求項１７】
前記第１のスクランブリングコードは、プライマリスクランブリングコード及びセカンダリスクランブリングコードのいずれかであり、
前記第２のスクランブリングコードは、代替スクランブリングコードである
ことを特徴とする請求項１３ないし１５のいずれか１項に記載の通信装置。
【請求項１８】
前記時間区間は、複数のフレームを含む送信時間間隔（ＴＴＩ）であり、
前記送信時間間隔（ＴＴＩ）のそれぞれは、少なくともいくつかの信号が前記第２のスクランブリングコードを使用して送信される時間区間であり、前記代替スクランブリングコードを使用して圧縮モードによって前記信号が送信される少なくとも１つのフレームを含む
ことを特徴とする請求項１７に記載の通信装置。
【請求項１９】
前記生成手段（２４）は、
いくつかの信号が前記第２のスクランブリングコードを使用して送信される送信時間間隔（ＴＴＩ）に含まれるすべてのフレームにおける品質測定の基準値として、前記第２の品質測定の基準値（５５）を使用するように構成されている
ことを特徴とする請求項１８に記載の通信装置。
【請求項２０】
前記生成手段（２４）は、
いくつかの信号が前記第２のスクランブリングコードを使用して送信される送信時間間隔（ＴＴＩ）に含まれる、圧縮モードが適用されたフレームにおける品質測定基準値として、前記第２の品質測定の基準値（５５）を使用し、
該送信時間間隔（ＴＴＩ）に含まれる他のフレームの品質測定基準値として、前記第１の品質測定の基準値（５４）を使用するように構成されている
ことを特徴とする請求項１８に記載の通信装置。
【請求項２１】
●  前記調整手段（４６）は、前記第２の品質測定の基準値（５５）に加えて、前記第２のスクランブリングコードを使用して少なくともいくつかの信号が送信される時間区間について算出された性能レベル（５２）に応じた少なくとも１つの他の品質測定の基準値を調整するように構成されており、かつ、前記第２のスクランブリングコードを使用して送信された信号の量に応じて該第２の品質測定の基準値と該少なくとも１つの他の品質測定の基準値とのうちの少なくとも１つを調整するように構成されており、
●  前記生成手段（２４）は、前記品質測定の基準値（５６）として、前記第２のスクランブリングコードを使用して少なくともいくつかの信号が送信される時間区間の少なくとも一部において、前記第２のスクランブリングコードを使用して送信された信号の量に応じた前記第２の品質測定の基準値と前記少なくとも１つの他の品質測定の基準値とのうちの１つを使用するように構成されている
ことを特徴とする請求項１２ないし２０のいずれか１項に記載の通信装置。